(57)【要約】      （修正有）【課題】従来の加工方法以上に簡単に取り付け作業ができ、安全性が高く、短時間で効率良く、綺麗に出来るバッテリー延長ターミナルを提供する。【解決手段】自動車側配線ターミナルＤとバッテリー本体Ｃを有し、バッテリーポールに自動車側配線ターミナルＤを固定しようとした場合に、長さが足りなく届かない時に延長ターミナルＡを介して取り付けられるような構造にしたものである。【選択図】図１
0003106202.tif 000002
【実用新案登録請求の範囲】
【請求項１】
自動車等に各種類のバッテリーを新たに搭載した場合にバッテリーのポール端子の位置が、元のバッテリーのポール端子プラス及びマイナスのポール位置が違う位置に設置される場合において、その際に自動車側の配線ターミナルの長さが足りなくて届かない場合や自動車側の配線ターミナルの形状がＬ型をしておりバッテリーのポールに配線ターミナルがバッテリー本体と干渉をして掛からない場合の問題を解決する為のバッテリーポールの位置を移動可変させるアダプターになります。取り付け角度によって移動可変させる範囲が広がることを特徴とする。
【請求項２】
自動車等に各種類のバッテリーを新たに搭載した場合にバッテリーのポール端子の位置が、元のバッテリーのポール端子プラス及びマイナスのポール位置が違う位置に設置される場合において、その際に自動車側の配線ターミナルの長さが足りなくて届かない場合や自動車側の配線ターミナルの形状がＬ型をしておりバッテリーのポールに配線ターミナルがバッテリー本体と干渉をして掛からない場合の問題を解決する為、延長ターミナルのステー部分を長くした構造により、そのステー部の範囲内において延長ターミナルポールを適した場所に配設固定が出来るようになり、それ以外のステー上の３箇所の穴に立てたボルトより予備電源を直接取り出せることを特徴とする。
【考案の詳細な説明】
【考案の詳細な説明】
【技術分野】
【０００１】本考案は自動車等バッテリーに関する配線ターミナルの長さが足りなくて届かない場合の問題を解決するものである。
【背景技術】
【０００２】従来、自動車用バッテリーが純正装着されている場合は自動車側配線はバッテリーポールまでの距離を余裕の無い寸法にて配線をしている為、他の規格のバッテリーを搭載した場合、自動車側の配線ターミナルの長さが足りなく装着出来ない事が多く、純正同サイズを搭載するか配線コードを延長加工して装着する事などは多く知られている。
【考案が解決しようとする課題】
【０００３】前記従来の純正同サイズのバッテリーを搭載するか、配線コードを切断して延長コードをつなぐ加工をしてバッテリーポールに固定する方法のみと考えられてきた。
【０００４】上記、配線コードを切断して延長コードをつなぐ加工をしてバッテリーポールに固定する作業は時間と手間が掛かり、またつなぐ加工が不完全な場合は漏電やショートしたりして配線が焦げたり、燃えたりする危険があった。
【０００５】本考案は前記従来の問題を解消するために案出されたもので、その目的は簡単に短時間で安全に取り付けられるのに有効な延長ターミナルを提供する事にある。
【課題を解決するための手段】
【０００６】前記の目的を達成するために、本考案の請求項１による延長ターミナルはバッテリー側ターミナルポールと自動車側配線ターミナルを固定する目的の上で、その両者の距離が遠い場合にポールの位置を任意の距離で可変移動する事により装着加工を簡単に短時間に取り付け出来ることを特徴とする。
【０００７】また、本考案の請求項２による延長ターミナルはバッテリーポール部と自動車側配線ターミナル部の開いている距離が状況によって変動する場合でも固定をする目的で移動可変出きる様に４箇所のボルト穴を有し、バッテリーを固定した際に自動車側配線ターミナルの位置に合わせて適切な位置にバッテリー側のポールと同様の形状のポール部品を固定し、それ以外の３箇所のボルト穴から直接予備電源を取れることを特徴とする。
【考案を実施するための最良の形態】
【０００８】以下、本考案の実施の形態を図面に従い具体的に説明する。
図１、及び図２、は本考案の第１の実施例に係わる自動車用バッテリーターミナル移動可変装置を示す。【０００９】この第１の実施例はバッテリー本体Ｃとの接続の為に自動車側配線ターミナルＤが、長さが足りない時に延長ターミナルＡを介して取り付けるものである。【００１０】前記延長ターミナルＡのバッテリーポールに対する取り付け構造は従来公知の通り延長ターミナルＡをバッテリーポールに装着し貫通穴に締めつけボルトａ１を通し１個のナットａ２をａ１のネジ部に螺挿して締着する構造になっている。同様に自動車側配線ターミナルＤを延出された延長ターミナルポールＢに締着する構造になっている。【００１１】図２は本考案の第２の実施例に係わるロング延長ターミナルを示す。この第２の実施例は前記延長ターミナルの取り付け構造とロング延長ターミナルとは同様の締着する構造になっている。
バッテリー本体に固定する部位と自動車側配線ターミナルを固定するポール部品との間の延長ステーＡ’に４箇所のボルト穴を設けて自動車側配線コードの長さに合わせて延長ステーＡ’の４箇所のボルト穴ｅ，ｆ，ｇ，ｈのどれかに締着固定する。締着固定された以外のボルト穴を予備電源取り出し用として使用出来る構造になっていることを特徴とする。
【考案の効果】
【００１２】本考案の請求項１に係わる延長ターミナルはバッテリーポールに固定し、そこから延長されたポール部品Ｂに自動車側配線ターミナルＤを締着する構造となっているので、本来のバッテリーと本体寸法や規格の違う種類のバッテリーを搭載した際に自動車側配線ターミナルの長さが足りなく届かない場合に装着加工を簡単に短時間で取り付け作業をすることが出来る。
【００１３】本考案の請求項２に係わるロング延長ターミナルはバッテリーポールに固定し、そこから延長されたポール部品Ｂに自動車側配線ターミナルＤを締着する構成になっているが、自動車側配線ターミナルの長さに応じてロング延長ターミナルポール部品Ｂをボルト穴ｅ，ｆ，ｇ，ｈの４箇所の中から任意の位置を確定し、自動車側配線ターミナルを締着する事が出来、またボルト穴ｅ，ｆ，ｇ，ｈのうち残り３箇所から予備電源取り出し用として直接電源を簡単に取り出せることが出来る。
【図面の簡単な説明】
【図１】「本考案の第１の実施例による延長ターミナルを示す後方からの外観斜視図である。」
【図２】「本考案の第２の実施例によるロング延長ターミナルを示す外観斜視図である」
【符号の説明】
Ａ……延長ターミナル  Ｂ…ターミナルポール  Ｃ……バッテリー
Ｄ……自動車側配線ターミナル  Ａ’……延長ステー  ａ１……ボルト
Ａ２……ナット  ｅ，ｆ，ｇ，ｈ……ポール取り付けネジ、又は予備電源取り出しネジ
【図１】
0003106202.tif 000003
【図２】
0003106202.tif 000004
【手続補正書】
【提出日】平成16年7月17日(2004.7.17)
【手続補正１】
【補正対象書類名】実用新案登録請求の範囲
【補正対象項目名】全文
【補正方法】変更
【補正の内容】
【実用新案登録請求の範囲】
【請求項１】
自動車側配線でプラス、マイナスをバッテリーに接続するターミナルを有し、バッテリーポストに配設固定するバッテリー延長ターミナル装置において、前記バッテリーターミナルを自動車側配線に延出する延長ターミナルに構成し、この延長ターミナルはバッテリーターミナル締付け部と自動車側配線を固定するポストとの間を延長したことを特徴とするバッテリー延長ターミナル装置。
【請求項２】
自動車側配線でプラス、マイナスをバッテリーに接続するターミナルを有し、バッテリーポストに配設固定するバッテリー延長ターミナル装置において、バッテリーターミナルのステー部分を延長した構造により、そのステー上に三箇所のネジ穴にボルトを取り付け、そのボルトより予備電源を直接、容易に取り出せることを特徴とする装置。